(57)【要約】      （修正有）【課題】ワンピースのような衣服をコンパクトに収容して持ち運びでき、小型軽量のガーメントバッグを提供する。【解決手段】折り畳むことができるところのワンピース、ドレスなどを収容して持ち運びできるガーメントバッグであって、内布開閉用ファスナーを用いることにより中央部分で開閉できる左右一対の左側内布２２ａと右側内布２２ｂから成る内布２２と、第２折畳み線に沿って外布２１の内側に取り付けられその左右側部を前記左側内布と前記右側内布の各側部に取り付けられた補助布２４とで構成されところの内部に衣服を収容できる下部側解放の収容袋体２と、この上部に設けられたハンガー通し部と、第１折畳み線で折り畳まれる外布の外側に上側に向けて取り付けられた第１手提げ部２６Ａと、前記第２折畳み線で折り畳まれる外布の外側に下向きに取り付けられた第２手提げ部と、前記外布の両側部に取り付けた左右ファスナーとで構成する。【選択図】図４
2017070584.tif 000002
【特許請求の範囲】
【請求項１】
所定間隔を空けて第１折畳み線と第２折畳み線を設けることにより、それ自身を三つに折り畳むことができるところのワンピース、ドレスなどの丈の長い衣服を収容して持ち運びできるガーメントバッグであって、外布と、この外布の上部から両側部の前記第２折畳み線までの部分に取り付けられたところの内布開閉用ファスナーを用いることにより中央部分で開閉できる左右一対の左側内布と右側内布から成る内布と、前記第２折畳み線に沿って前記外布の内側に取り付けられその左右側部を前記左側内布と前記右側内布の各側部に取り付けられた補助布とで構成されところの内部に前記衣服を収容できる下部側解放の収容袋体と、この収容袋体の上部に設けられたハンガー通し部と、前記第１折畳み線で折り畳まれる外布の外側に上側に向けて取り付けられた第１手提げ部と、前記第２折畳み線で折り畳まれる外布の外側に下向きに取り付けられた第２手提げ部と、さらに前記第２折畳み線から前記第１折畳み線に向けて、前記外布の両側部に取り付けた左右ファスナーとで構成したことを特徴とする、ガーメントバッグ。
【請求項２】
前記請求項１に記載のガーメントバッグを用い、前記収容袋体を展開した状態で前記内布開閉用ファスナーを用いて前記左側内布と前記右側内布を左右に展開させて内部にハンガーに掛けた状態の前記衣服を前記外布の内側と前記補助布の上側に置き、前記ハンガーの吊手部を前記ハンガー通し部から外側に通し、次いで前記内布開閉用ファスナーを用いて前記左側内布と前記右側内布を閉じて前記衣服の下部側を前記補助布と前記左側内布と前記右側内布の間に収容しつつ前記収容袋体の中に収容し、次いで前記第２折畳み線に沿って前記収容袋体を前記補助布と共に前記衣服ごと内側へ折畳み、次いで前記第１折畳み線に沿って前記収容袋体を前記衣服ごと内側へ折畳み、次いで前記左側及び右側ファスナーを閉じて前記外布と前記左側内布と前記右側内布の各側部を接続することにより、前記衣服を前記収容袋体内部に収容させることを特徴とする、前記ガーメントバッグの使用方法。
【請求項３】
前記衣服の下部側が前記収容袋体の下部側からはみ出す場合には、前記補助布を折り畳む前に、前記収容袋体からはみ出した前記衣服の部分を前記内布の側へ折り畳むことを特徴とする、請求項２に記載のガーメントバッグの使用方法。
【発明の詳細な説明】
【技術分野】
【０００１】
本発明は、ワンピースやドレスといった主として丈の長い女性用の衣服をコンパクトに折り畳んで持ち運びすることのできるガーメントバッグ並びにこのガーメントバッグの使用方法に関する。
【背景技術】
【０００２】
女性が冠婚葬祭に出席したり、或は旅行に行く際等に衣服を持ち運ぶために用いるガーメントバッグが、例えば下記特許文献１或は下記特許文献２において公知である。これ等の公知のガーメントバッグは、いずれもスーツを２つ折りにして運ぶためのものである。
【０００３】
しかしながら、とくに女性は、スーツ以外にワンピース型の喪服や礼服、ドレスなどを着用する場合が多々あり、この従来公知のガーメントバッグではこれらの衣服を上手く折り畳んで収容できないといった問題があり、そのため衣服に皺がついてしまい着用した際に不体裁になってしまうといった問題があった。
【先行技術文献】
【特許文献】
【０００４】
【特許文献１】実用登録第３０１９９９５９号公報
【特許文献２】アメリカ特許第５３２０２２０号公報
【発明の概要】
【発明が解決しようとする課題】
【０００５】
本発明は、上記問題を解決し、丈の長い主として女性用のワンピースのような衣服を不要な皺ができることを防止してコンパクトに収容して、肩に掛けて持ち運びできる小型軽量のガーメントバッグを提供せんとするにある。
【課題を解決するための手段】
【０００６】
上記した課題を解決するために、請求項１に係る発明は、所定間隔を空けて第１折畳み線と第２折畳み線を設けることにより、それ自身を三つに折り畳むことができるところのワンピース、ドレスなどの丈の長い衣服を収容して持ち運びできるガーメントバッグであって、外布と、この外布の上部から両側部の前記第２折畳み線までの部分に取り付けられたところの内布開閉用ファスナーを用いることにより中央部分で開閉できる左右一対の左側内布と右側内布から成る内布と、前記第２折畳み線に沿って前記外布の内側に取り付けられその左右側部を前記左側内布と前記右側内布の各側部に取り付けられた補助布とで構成され他ところの内部に前記衣服を収容できる下部側解放の収容袋体と、この収容袋体の上部に設けられたハンガー通し部と、前記第１折畳み線で折り畳まれる外布の外側に上側に向けて取り付けられた第１手提げ部と、前記第２折畳み線で折り畳まれる外布の外側に下向きに取り付けられた第２手提げ部と、さらに前記第２折畳み線から前記第１折畳み線に向けて、前記収容袋体の両側部に取り付けた左右ファスナーとで構成したことを特徴とする。
【０００７】
また、請求項２に係る発明は、前記請求項１に記載のガーメントバッグを用い、前記収容袋体を展開した状態で前記内布開閉用ファスナーを開いて前記左側内布と前記右側内布を左右に展開させて内部にハンガーに掛けた状態の前記衣服を前記外布の内側と前記補助布の上側に置き、前記ハンガーの吊手部を前記ハンガー通し部から外側に通し、次いで前記内布開閉用ファスナーを用いて前記左側内布と前記右側内布を閉じて前記衣服の下部側を前記補助布と前記左側内布と前記右側内布の間に収容し、次いで前記第２折畳み線に沿って前記収容袋体を前記補助布と共に前記衣服ごと内側へ折畳み、次いで前記第１折畳み線に沿って前記収容袋体を前記衣服ごと内側へ折畳み、次いで前記左右ファスナーを閉じて前記外布と前記左側内布と前記右側内布の各側部を接続することにより、前記衣服を前記収容袋体内部に収容させることを特徴とするものである。
【０００８】
そして、請求項３に係る発明は、前記衣服の下部側が前記収容袋体の下部側からはみ出す場合には、前記補助布を折り畳む前に、前記収容袋体からはみ出した前記衣服の部分を前記補助布の側へ折り畳むことを特徴とする。
【発明の効果】
【０００９】
請求項１に記載の発明によれば、内部に衣服を収容して収容袋体を３つに折り畳んだ後、左右ファスナーを閉じることにより、内部に丈のある衣服を少なくとも３つに折り畳んで収容できることからコンパクトで、嵩張らず持ち運びが容易である上に、衣服に不必要な皴が寄ることを防止でき、材料は布状の薄い材料であることから小型軽量のガーメントバッグを提供できたものである。
【００１０】
また、請求項２に記載の発明によれば、本発明に係るガーメントバッグを用いて収容袋体内部に衣服を収容して手早くコンパクトにまとめることができるという効果を奏し得る。その際に衣服の下部側が、補助布と左右の左側内布と右側内布の間に収まることから、収容状態が安定するという作用効果を奏し得るものである。
【００１１】
そして、請求項３に記載の発明によれば、収容袋体の下部側からはみ出す衣服は、このはみ出した部分を内布の側へ折り畳むことによって、収容袋体の中に収容できるものである。
【図面の簡単な説明】
【００１２】
【図１】本発明に係るガーメントバッグの一実施例を示す外観斜視図である。
【図２】図１中に示したガーメントバッグを展開した状態において、外布の外側の面を上向きにした平面図である。
【図３】図２と同様の展開状態において、内布の面を上向きにした平面図である。
【図４】図３に示したガーメントバッグにおいて、その内布を開いた状態を示す平面図である。
【図５】図２中に示したハンガーに、衣服をセットした状態を示す平面図である。
【図６】図４に示した状態のガーメントバッグに、図５に示した状態の衣服を収容した状態を示す平面図である。
【図７】図６に示した状態のガーメントバッグの内布を閉じた状態を示す平面図である。
【図８】図７に示した状態から収容袋体の下端よりはみ出した衣服の下部側部分を、内布の上面に畳み重ねた状態を示す平面図である。
【図９】図８に示した状態からガーメントバッグの補助布を内布の一部と共に図８中の第２折畳み線に沿って内側へ折り畳んだ状態を示す平面図である。
【図１０】図９に示した状態から第１折畳み線に沿って、内布、衣服及び外布を内側へ折り畳んだ状態を示す平面図である。
【図１１】図１０に示した状態から第２折畳み線に沿って、外布を内側へ折り畳み、左側及び右側ファスナーを閉じた状態を示す平面図である。
【図１２】内部に衣服を収容した本発明に係るガーメントバッグを持ち運ぶ際の使用例を説明する説明図である。
【発明を実施するための形態】
【００１３】
以下、図面を参照しつつ本発明に係るガーメントバッグ並びにその使用方法の好適な実施例について説明する。尚、各図中における左右関係については、図１及び図３を基準として記載してあるため、図３と表裏関係にある図２では、左右関係が他の図とは逆になっている。
【実施例】
【００１４】
図１〜図５に示すように、本発明に係るガーメントバッグ１は、所定間隔を空けて第１折畳み線Ｌ１と第２折畳み線Ｌ２を設けることにより、それ自身を三つに折り畳むことができるところのワンピース、ドレスなどの丈の長い衣服４を収容して持ち運びできるガーメントバッグ１であって、外布２１と、この外布２１の上部から両側部の前記第２折畳み線Ｌ１までの部分に取り付けられたところの内布開閉用ファスナー２３を用いることにより中央部分で開閉できる左右一対の左側内布２２ａと右側内布２２ｂから成る内布２２と、前記第２折畳み線Ｌ２の内側に沿って前記外布２１に取り付けられその左右側部を前記左側内布２２ａと前記右側内布２２ｂの各側部に取り付けられた補助布２４とで構成され、内部に前記衣服４を収容できる下部側解放の収容袋体２と、この収容袋体２の上部に設けられたハンガー通し部２５と、前記第１折畳み線Ｌ１で折り畳まれる外布２１の外側に上側に向けて取り付けられた第１手提げ部２６Ａと、前記第２折畳み線Ｌ２で折り畳まれる外布２１の外側に下向きに取り付けられた第２手提げ部２６Ｂと、さらに前記第２折畳み線Ｌ２から前記第１折畳み線Ｌ１に向けて、前記収容袋体２の両側部に取り付けた左側及び右側ファスナー２１１、２１２とで構成してある。尚、第１手提げ部２６Ａと第２手提げ部２６Ｂを取り付けた外布２１の部分には、補強ベルト２７Ａ、２７Ｂが取り付けられている。
【００１５】
図３、４に示すように、左側内布２２ａと右側内布２２ｂは、それらの上半部約３分の２の範囲の外周縁部は、前記外布２１の上半部約３分の２の範囲の外周縁部と左側上半部縫い目２２ｃ及び右側上半部縫い目２２ｄによってそれぞれ縫い合わせられている。一方、左側内布２２ａと右側内布２２ｂの下半部約３分の１の範囲の外周縁部は、前記外布２１と縫い合わせられることなく、左側下半部縫い目２２ｅ及び右側下半部縫い目２２ｆによって補助布２４の左右の外周縁部とそれぞれ縫い合わせられる。また、補助布２４の上辺部は、第２折畳み線Ｌ２の部分に沿って補助布縫い目２４ａによって外布２１の内側と縫い合わせられる（図２、４参照）。したがって、後述する如く、前記補助布縫い目２４ａから下の範囲の補助布２４と内布２２とを一緒に外布２１からめくり上げて、図９のように補助布２４が上向きになるように折り畳むことができる。即ち、外布２１と内布２２並びに補助布２４と内布２２は、互いに連通した一体の収容袋体２となる。
【００１６】
外布２１の左右の下半部約３分の２の範囲、即ち、第２折畳み線Ｌ２から第１折畳み線Ｌ１の左右の外周縁部には、左側ファスナー２１１及び右側ファスナー２１２が取り付けられる。即ち、外布２１の左側の下半部約３分の２の範囲の辺縁部には、左側ファスナー２１１の多数のエレメントを取り付けたテープ２１１ｂ、２１１ｃを縫い付け、外布２１の右側の下半部約３分の２の範囲の辺縁部には、右側ファスナー２１２の多数のエレメントを取り付けたテープ２１２ｂ、２１２ｃを縫い付け、これらのファスナーのスライダー２１１ａ、２１２ａをスライドさせることにより、左側ファスナー２１１及び右側ファスナー２１２が開閉し、外布２１の下半部約３分の２の領域、即ち、第２折畳み線Ｌ２から第１折畳み線Ｌ１の間が開閉できるようになっている。
【００１７】
図３、図４に示す如く、内布２２の中央部には上下方向に延びる内布開閉用ファスナー２３を取り付ける。即ち、内布開閉用ファスナー２３の多数のエレメントを取り付けたテープ２３ｂを左側内布２２ａに縫い付け、もう一方のテープ２３ｃを右側内布２２ｂに縫い付け、スライダー２３ａを下へ引き下げたとき左側内布２２ａと右側内布２２ｂが閉じ（図３）、スライダー２３ａを上へ引き上げたとき左側内布２２ａと右側内布２２ｂが開く（図４）ようにする。
【００１８】
前記外布２１、内布２２、補助布２４は、強度、コスト等の観点から通常は合成繊維製の布地で作製されるが、合成繊維製の不織布でもよく（特に、あまり強い力の加わらない内布２２、補助布２４）、それらの合成繊維材料の場合には、前記各部の縫い目は熱接合や高周波接合によって結合させてもよい。ただし、これらの布地は、必ずしも合成繊維製に限らず、天然素材や柔軟な合成樹脂シートであってもよい。
【００１９】
収容袋体２の上端には、ハンガー通し部２５を設け、そこに設けたスリット２５ａにハンガー３の吊手部３ａを挿通することができるようにする。ハンガー通し部２５は、例えば合成樹脂シートで作製され、縫い目２５ｂにより外布２１と、縫い目２５ｃにより内布２２と縫い付けられる。但し、このハンガー通し部２５は、外布２１並びに内布２２と同じ材質のもので一体に構成してもよい。
【００２０】
図３、４に示す如く、内布２２の上端近くには、内布２２と同一の生地等により、内布開閉用ファスナー２３の上端部を覆うようにスライダー隠し２２ｇを設け、内布２２を開くためにスライダー２３ａを上端まで移動させたときに、スライダー２３ａを覆って、衣服を傷つけることがないようにする。
【００２１】
以上の如く構成された本発明のガーメントバッグ１の使用方法について説明する。この使用方法は、上記したガーメントバッグ１を用い、前記収容袋体２を展開した状態で前記内布開閉用ファスナー２３を用いて前記左側内布２２ａと前記右側内布２２ｂを開き、ハンガー３に掛けた状態の前記衣服４を前記外布２１の内側と前記補助布２４の上側に置き、前記ハンガー３の吊手部３ａを前記ハンガー通し部２５のスリット２５ａから外側に通し、次いで前記内布開閉用ファスナー２３を用いて前記左側内布２２ａと前記右側内布２２ｂを閉じて前記衣服４の下部側を前記補助布２４と前記内布２２の間に収容し、次いで前記第２折畳み線に沿って前記収容袋体を前記補助布と共に前記衣服ごと内側へ折畳み、次いで第１折畳み線Ｌ１に沿って前記収容袋体２を前記衣服４ごと内側へ折畳み、次いで前記左右ファスナー２１１、２１２を閉じて前記外布２１と前記左側内布２２ａと前記右側内布２２ｂの各側部を接続することにより、前記衣服４を前記収容袋体２内部に収容させるものである。
【００２２】
さらに詳しく説明すると、まず、図１に示すように閉じられた状態にあるガーメントバッグ１の左側ファスナー２１１（図１では隠れて見えない）と右側ファスナー２１２のスライダー２１１ａ、２１２ａをスライドさせて、図４に示したように、ガーメントバッグ１を開き、ハンガー３に、図５に示すように、例えば、上衣部４ａに取り付けたジャケット部５とスカート部４ｂとから成る丈の長いノースリーブのワンピースから成る衣服４をセットする。この作業は、ハンガー３を適宜の個所に吊るした状態で行ってもよいし、収容袋体２をベッド、畳、テーブル等の上に横たえた状態で行ってもよい。
【００２３】
次いで、図４に示すように、前記収容袋体２の内布２２の内布開閉用ファスナー２３を全体に開いて、図５に示すようにセットしたハンガー３と衣服４の上衣部４ａとスカート部４ｂ及びジャケット部５から成る衣服４を、図６に示す如く、収容袋体２の内部に収納する。その際、ハンガー３の吊手部３ａを前記ハンガー通し部２５のスリット２５ａに挿通させ、衣服４のジャケット部５の肩の部分が収容袋体２の最上部まで入り込むように調整する。更に、衣服４に不必要な皺ができないように、ジャケット部５の襟を整えたり、袖を畳んだり、衣服４のスカート部４ｂを伸ばしたり、という調整作業を行う。それらの調整作業は、衣服４を収容した収容袋体２を横たえた状態で行ってもよいが、衣服４の種類等の状況に応じて、ハンガー３に収容袋体２を装着したまま適宜の個所に吊るし、収容袋体２の内布２２を開いた状態で衣服４をハンガー３にセットし、その状態で更に衣服４の形を整えるようにしてもよい。これらの作業を終了したのち、図７に示すように、内布開閉用ファスナー２３のスライダー２３ａを引き下げ、内布２２を閉じるようにする。このとき、外布２１よりさらに丈の長い衣服４の場合には、スカート部４ｂの裾の部分が、収容袋体２の下端からはみ出した状態となっている。
【００２４】
次いで、上記の如くジャケット部５付きの衣服４を収納した前記収容袋体２を横たえた状態とし、収容袋体２の下端からはみ出した衣服４のスカート部４ｂの裾の部分を、図８に示すように、上方向へ折り畳んで、内布２２の上面に重ね置くようにする。このとき、スカート部４ｂの裾の部分に皺がつかないように再度調整する。特に和服等の場合には、これらの調整作業を入念に行うようにする。これを終えたのち、図８中に示す第１折畳み線Ｌ１から下の部分の内布２２と、前記補助布２４（図８では隠れて見えない。図４を併せて参照）と、衣服４のスカート部４ｂとを一緒に、図８中に示す第１折畳み線Ｌ１に沿って矢符Ｔ１の如く上方向へ折り畳んで、それより上の領域の内布２２の上面に重ね置くようにする。これにより、図９に示した状態となり、これまで隠れていた前記補助布２４が上に現われると同時に、第１手提げ部２６Ａに近い方の外布２１の内面も現われる。
【００２５】
次いで、図９に示すように、第２折畳み線Ｌ２に沿って、収容袋体２の上半部をハンガー３や内部の衣服と共に折り畳んで、矢符Ｔ２の如く前記補助布２４の上に重ね置くようにする。これにより、図１０に示した状態となり、これまで隠れていた前記第２手提げ部２６Ｂが現れて、見えるようになる。
【００２６】
最後に、図１０に示す第２折畳み線Ｌ２に沿って、外布２１の下半部を矢符Ｔ３の如く折り畳み、第１手提げ部２６Ａと第２手提げ部２６Ｂが同じ位置にくるようにする。その状態で、左側ファスナー２１１のスライダー２１１ａと、右側ファスナー２１２のスライダー２１２ａとをスライドさせて、これらのファスナーを閉じれば、図１１に示したように収容袋体２が閉じられ、その内部に前記衣服４を収納した状態で、同じく図１１に示したように、ほぼ用紙のＡ３の大きさでコンパクトに折り畳まれることになる。その際に、前記ワンピースなどの丈の長い衣服４であっても、その裾の部分を前記補助布２４と内布２２との間に挟んだ状態で折り畳んで持ち運ぶことができるため、衣服４の一部が丸まって皺になったりすることがない。さらに、このガーメントバッグを持参して外出する際には、図１２に示したように、第１手提げ部２６Ａと第２手提げ部２６Ｂを重ねて肩にかけてショルダーバッグのようにして手軽に持ち運ぶことが可能となる。そして、ガーメントバッグ１から衣服４を取り出す場合は、上記と逆の手順を順次行えばよい。
【００２７】
尚、本発明は上記の実施例に限定されるものではなく、例えば、収容袋体２の縦横長さの比、第１及び第２手提げ部の形態、各部のファスナーの形態、等々は適宜変更可能であり、したがって、本発明は、特許請求の範囲内において、上記の説明から当業者が容易に想到し得るすべての変更実施例を包摂するものである。
【産業上の利用可能性】
【００２８】
本発明は以上の如く構成したため、丈の長いワンピースなどの衣服をコンパクトに折り畳んで持ち運ぶことのできるガーメントバッグとして好適に用いられるものである。
【符号の説明】
【００２９】
１          ガーメントバッグ
２          収容袋体
２１        外布
２１１      左側ファスナー
２１１ａ    スライダー
２１１ｂ、２１１ｃ  テープ
２１２      右側ファスナー
２１２ａ    スライダー
２１２ｂ、２１２ｃ  テープ
２２        内布
２２ａ      左側内布
２２ｂ      右側内布
２２ｃ      左側上半部縫い目
２２ｄ      右側上半部縫い目
２２ｅ      左側下半部縫い目
２２ｆ      右側下半部縫い目
２２ｇ      スライダー隠し
２３        内布開閉用ファスナー
２３ａ      スライダー
２３ｂ、２３ｃ  テープ
２４        補助布
２４ａ      補助布縫い目
２５        ハンガー通し部
２５ａ      スリット
２５ｂ、２５ｃ  縫い目
２６Ａ      第１手提げ部
２６Ｂ      第２手提げ部
２７Ａ      補強ベルト
２７Ｂ      補強ベルト
３          ハンガー
３ａ        吊手部
４          衣服（ワンピース）
４ａ        上衣部
４ｂ        スカート部
５          ジャケット部
Ｌ１〜Ｌ２  第１〜２折畳み線  
【図１】
2017070584.tif 000003
【図２】
2017070584.tif 000004
【図３】
2017070584.tif 000005
【図４】
2017070584.tif 000006
【図５】
2017070584.tif 000007
【図６】
2017070584.tif 000008
【図７】
2017070584.tif 000009
【図８】
2017070584.tif 000010
【図９】
2017070584.tif 000011
【図１０】
2017070584.tif 000012
【図１１】
2017070584.tif 000013
【図１２】
2017070584.tif 000014